(57)【要約】【課題】安価に製造可能な天板昇降型机を提供する。【解決手段】天板昇降型机１０は、昇降ユニット１１と基台ユニット２１とを含み、昇降ユニットが、天板部１２、及び天板部下面から下方向に延び、天板部と一体的に昇降可能であり、上下方向に延びるラック部１６を有する昇降支柱部１３を含み、基台ユニットが、各昇降支柱部に対応して設けられ、ラック部と噛合するウォームホイール部を介して昇降支柱部の昇降運動を案内すると共に、昇降ユニットを保持する案内保持脚部２２、案内保持脚部に固定され、ウォームホイール部と噛合するウォーム部を有する回転同期軸部２３、及び回転同期軸部の回転手段３１を含み、回転同期軸部の全てのウォーム部が、右ネジ型ウォーム部のみか左ネジ型ウォーム部のみからなり、ウォーム部とウォームホイール部とを昇降支柱部の昇降運動が全体として一方向に同期するように噛合させる。【選択図】図２
2006130048.tif 000002
【特許請求の範囲】
【請求項１】
昇降ユニットと基台ユニットとを含む天板昇降型机であって、
（Ａ）前記昇降ユニットが、
（１）天板部、及び
（２）前記天板部の下面から下方向に延びて設けられ、前記天板部と一体的に上下方向に昇降可能であり、上下方向に延びるラック部を有する２つ以上の昇降支柱部
を含み、
（Ｂ）前記基台ユニットが、
（１）前記の各昇降支柱部のそれぞれに対応してそれぞれ設けられ、前記ラック部と噛合するウォームホイール部を介して前記昇降支柱部のそれぞれの昇降運動を摺動可能に案内すると共に、前記昇降ユニットを保持する案内保持脚部、
（２）前記案内保持脚部に固定され、前記ウォームホイール部と噛合するウォーム部を有する回転同期軸部、及び
（３）前記回転同期軸部を回転させる回転手段
を含み、
前記回転同期軸部に設けられている全てのウォーム部が、右ネジ型ウォーム部のみからなるか、あるいは左ネジ型ウォーム部のみからなり、
前記ウォーム部と前記ウォームホイール部とを、昇降支柱部の昇降運動が全体として一方向に同期するように噛合させる
ことを特徴とする、天板昇降型机。
【請求項２】
昇降支柱部が２つであり、案内保持脚部が２つであり、回転同期軸部が１つである、請求項１に記載の天板昇降型机。
【請求項３】
前記回転同期軸部の両末端に設けたウォーム部の内、一方のウォーム部が、そのウォーム部の上方に設けたウォームホイール部と噛合し、もう一方のウォーム部が、そのウォーム部の下方に設けたウォームホイール部と噛合する、請求項２に記載の天板昇降型机。
【請求項４】
昇降支柱部が４つであり、案内保持脚部が４つであり、回転同期軸部が３つであり、第１の回転同期軸部がその両端部にウォーム部を有し、第２の回転同期軸部が、前記第１の回転同期軸部の一方の端部に設けたウォーム部と噛合するウォームホイール部と同軸であり、第３の回転同期軸部が、前記第１の回転同期軸部のもう一方の端部に設けたウォーム部と噛合するウォームホイール部と同軸であり、第２の回転同期軸部のもう一方の端部にピニオン部を有し、第３の回転同期軸部のもう一方の端部にピニオン部を有し、前記第１の回転同期軸部の両端部のウォーム部とそれぞれ噛合するウォームホイール部が、第１の昇降支柱部のラック部及び第２の昇降支柱部のラック部と噛合し、第２の回転同期軸部の端部に設けたピニオン部が第３の昇降支柱部のラック部と噛合し、第３の回転同期軸部の端部に設けたピニオン部が第４の昇降支柱部のラック部と噛合する、請求項１に記載の天板昇降型机。
【発明の詳細な説明】
【技術分野】
【０００１】
本発明は、天板昇降型机に関する。本発明による天板昇降型机は、天板部を連続的に昇降させて天板部の高さを調整して、所望の高さで不動状態に固定することができ、その昇降操作が簡単で、しかも安価に製造することができる。
【背景技術】
【０００２】
多くの児童用学習机には、天板の高さを上下に自在に移動して固定する手段が設けられおり、使用する児童の成長や、使用する児童の変更に合わせて天板の高さを調節することができる。児童用学習机の天板高調整手段の多くは、天板に連結している昇降支柱部と、基台に連結している案内保持脚部との両方に貫通孔を設け、前記天板が所望の高さになる位置で貫通孔にボルト及びナットを螺合させて固定することにより、天板の高さ調整を行っている。こうした天板高調整手段は、安価である点で優れている。しかしながら、前記天板高調整手段では、貫通孔が不連続に設けられており、天板の高さは貫通孔の位置に依存するため、連続的な高さ調節は不可能である。また、天板の高さを調整する際には、天板と昇降支柱とを持ち上げながらボルトを外し、新しい貫通孔にボルトを通してから固定する作業が必要となるので、幼い児童が天板の高さを調整することは困難であった。
【０００３】
一方、机の天板の高さを連続的に昇降させ、任意所望の位置で固定する手段としては、油圧シリンダや空気シリンダを利用する方法が知られている。しかしながら、昇降装置が大型化し、しかも高価になるので、一部の高級机にしか採用されていない。
【０００４】
また、天板の高さを連続的に昇降させ、任意所望の位置で固定する安価な手段として、ギアを利用する方法も種々提案されている。
例えば、（ａ）基台の上部に連結されて上下方向に延びて設けられた断面略コ字状のブラケットと、（ｂ）前記ブラケットの内周部に設けられて前記天板を昇降させる昇降手段とを備える天板の昇降装置が知られている（特許文献１）。しかしながら、この昇降装置は、脚部が１本だけの非常に単純な構造を有しており、比較的小型の机の昇降にしか適用することができない。また、脚部が２本以上の机の天板を昇降する機構については全く記載がない。
【０００５】
脚部が２本以上の机の天板を昇降する機構も提案されており、例えば、（ａ）天板部の下面に設けた左右の支脚となる筒形案内脚、（ｂ）前記案内脚のそれぞれの内面へ摺動（スライド）可能に嵌挿した床脚、（ｃ）案内脚に回動可能で軸方向不動に支持されたネジ軸、（ｄ）床脚に設けられ、ネジ軸に螺合させてネジ軸と連結するナット、（ｅ）ネジ軸に設けられた従動傘歯車、（ｆ）前記従動傘歯車と噛合する駆動傘歯車を有し、回転源へ連結された操作軸、（ｇ）前記操作軸に取り付けられ、前記従動傘歯車と噛合する駆動傘歯車、及び（ｈ）その操作軸を前記天板に対して着脱可能の支軸部材を含む天板昇降机が知られている（特許文献２）。この天板昇降机では、上下方向に平行な２本のネジ軸が、２つの床脚に固定された２つのナット部によって回転可能に保持されており、ネジ軸の同調した回転によって、そのネジ軸と連結している天板部を連続的に昇降させることができる。
しかしながら、この天板昇降机では、２本のネジ軸の回転によって天板を同じ方向（すなわち、上方向又は下方向のいずれか一方）へ移動させる必要があるため、前記の２本のネジ軸に設けるネジ山の切り方を逆方向にする必要がある。すなわち、一方を右ネジ型（軸方向に見たときに、時計回りにたどれば、観察者から遠ざかるようにネジ山が設けられているタイプ）にし、もう一方を左ネジ型（軸方向に見たときに、逆時計回りにたどれば、観察者から遠ざかるようにネジ山が設けられているタイプ）にする必要がある。
また、前記の天板昇降机では、天板を含む昇降部分と、その昇降部分を上下動させる昇降手段とが一体化されており、天板を含む昇降部分と昇降手段とを同時に昇降させることになるので、昇降部分の全体の重量が大きくなり、昇降させるために大きな力が必要になるという欠点がある。更に、前記昇降手段を、例えば、手動ハンドルで回転させる場合には、そのハンドル部分も同時に昇降することになるので、操作が難しいという欠点もある。更にまた、重量が大きい昇降手段が高い位置に設けられるために机の重心が高くなり、机の安定性を得るために、基台部を必要以上に重量化する必要が生じる点も問題である。
【０００６】
なお、２本の支柱に沿って、ラックとウォームホイールとウォームギヤとの組合せからなる歯車機構によって、物品収納棚を連続的に上下方向に昇降させる装置も知られている（特許文献３）。この物品収納棚の昇降装置で用いる歯車機構では、図７に沿って後述するとおり、操作軸の左右両端に設けられたウォームギアが、一方が右ネジ型であれば、もう一方は左ネジ型にする必要がある。右ネジ型ウォームギアには、右ネジ型ウォームホイールを使用して噛合させる必要があり、左ネジ型ウォームギアには、左ネジ型ウォームホイールを使用して噛合させる必要がある。更に、右ネジ型ウォームホイールに噛合するラックは右ネジ型であり、左ネジ型ウォームホイールに噛合するラックは左ネジ型である。従って、ウォームギア、ウォームホイール、及びラックのそれぞれについて、右ネジ型及び左ネジ型を使用する必要があるため、部品の種類が多くなり、製造コストが高くなる。
また、前記物品収納棚の昇降装置では、物品収納棚を含む昇降部分と、その昇降部分を上下動させる昇降手段とが一体化されており、物品収納棚を含む昇降部分と昇降手段とを同時に昇降させることになるので、昇降部分の全体の重量が大きくなり、昇降させるために大きな力が必要になるという欠点がある。
【０００７】
【特許文献１】実開平７−１７１３５号公報
【特許文献２】特開平１１−１１３６４０号公報
【特許文献３】特開２００４−１７３９５９号公報
【発明の開示】
【発明が解決しようとする課題】
【０００８】
従って、本発明の課題は、机の天板の高さを連続的かつ円滑に昇降させて任意所望の位置で安定かつ不動状態に固定することのできる天板昇降型机であって、２本以上の脚部を有する大型机に適用可能であり、天板を含む昇降部分と、その昇降部分を上下動させる昇降手段とが一体化されておらず、昇降手段が上下動することがないので昇降操作が容易であり、しかも昇降部分が軽量化されるために安定であり、更に、右ネジ型及び左ネジ型のギア類の両方を使用する必要がなく、右ネジ型及び左ネジ型のギア類の一方のみを使用して安価に製造することができる天板昇降型机を提供することにある。
【課題を解決するための手段】
【０００９】
前記の課題は、本発明により、
昇降ユニットと基台ユニットとを含む天板昇降型机であって、
（Ａ）前記昇降ユニットが、
（１）天板部、及び
（２）前記天板部の下面から下方向に延びて設けられ、前記天板部と一体的に上下方向に昇降可能であり、上下方向に延びるラック部を有する２つ以上の昇降支柱部
を含み、
（Ｂ）前記基台ユニットが、
（１）前記の各昇降支柱部のそれぞれに対応してそれぞれ設けられ、前記ラック部と噛合するウォームホイール部を介して前記昇降支柱部のそれぞれの昇降運動を摺動可能に案内すると共に、前記昇降ユニットを保持する案内保持脚部、
（２）前記案内保持脚部に固定され、前記ウォームホイール部と噛合するウォーム部を有する回転同期軸部、及び
（３）前記回転同期軸部を回転させる回転手段
を含み、
前記回転同期軸部に設けられている全てのウォーム部が、右ネジ型ウォーム部のみからなるか、あるいは左ネジ型ウォーム部のみからなり、
前記ウォーム部と前記ウォームホイール部とを、昇降支柱部の昇降運動が全体として一方向に同期するように噛合させる
ことを特徴とする、天板昇降型机によって解決することができる。
【００１０】
本発明の好ましい態様においては、昇降支柱部が２つであり、案内保持脚部が２つであり、回転同期軸部が１つである。
また、本発明の更に好ましい態様においては、前記回転同期軸部の両末端に設けたウォーム部の内、一方のウォーム部が、そのウォーム部の上方に設けたウォームホイール部と噛合し（すなわち、歯車が相互に噛み合い）、もう一方のウォーム部が、そのウォーム部の下方に設けたウォームホイール部と噛合する（すなわち、歯車が相互に噛み合う）。
【００１１】
更にまた、本発明の好ましい態様においては、昇降支柱部が４つであり、案内保持脚部が４つであり、回転同期軸部が３つであり、第１の回転同期軸部がその両端部にウォーム部を有し、第２の回転同期軸部が、前記第１の回転同期軸部の一方の端部に設けたウォーム部と噛合するウォームホイール部と同軸であり、第３の回転同期軸部が、前記第１の回転同期軸部のもう一方の端部に設けたウォーム部と噛合するウォームホイール部と同軸であり、第２の回転同期軸部のもう一方の端部にピニオン部を有し、第３の回転同期軸部のもう一方の端部にピニオン部を有し、前記第１の回転同期軸部の両端部のウォーム部とそれぞれ噛合するウォームホイール部が、第１の昇降支柱部のラック部及び第２の昇降支柱部のラック部と噛合し、第２の回転同期軸部の端部に設けたピニオン部が第３の昇降支柱部のラック部と噛合し、第３の回転同期軸部の端部に設けたピニオン部が第４の昇降支柱部のラック部と噛合する。
【００１２】
本明細書において、上下関係及び上下方向は、特に断らない限り、重力方向に関する関係及び方向を意味し、例えば、上部や上方、又は上面などの用語、あるいは下部や下方、下面又は底面などの用語を使用する。また、本明細書において、左右関係は、特に断らない限り、添付図面を紙面の手前側から奥側の方向に向かって観察する場合の左右関係を意味し、例えば、右側又は右方向などの用語、あるいは左側又は左方向などの用語を使用する。
【発明の効果】
【００１３】
本発明の天板昇降型机は、机の天板の高さを連続的にしかも円滑に昇降させて、任意所望の位置で安定にしかも不動状態に固定することができ、２本以上の脚部を有する大型机に適用可能である。また、天板を含む昇降ユニットには、ギア成分の内のラック部が含まれているだけであり、ウォームホイール部やウォーム部は、昇降しない基台ユニットに含まれているので、昇降ユニットを軽量化して机全体を安定化することができ、しかも、前記回転同期軸部を手動ハンドルで回転させる場合にも、手動ハンドルが上下動しないので、その回転操作が容易である。更に、右ネジ型及び左ネジ型のギア類の両方を使用する必要がなく、右ネジ型及び左ネジ型のギア類の一方のみを使用して製造することができるので、使用する部品数が減少し、製造コストが低減される。
【発明を実施するための最良の形態】
【００１４】
本発明の天板昇降型机の具体的態様を、添付図面に沿って以下に説明する。
図１及び図２に、本発明の一態様の天板昇降型机１０を示す。図１は、天板昇降型机１０の斜視図であり、図２は、その分解斜視図である。
本発明の天板昇降型机１０は、上下動可能な昇降ユニット１１と、床面などの上に載置される基台ユニット２１とからなり、前記昇降ユニット１１は、天板部１２及び昇降支柱部１３，１３を有する。具体的には、天板部１２に、２つの昇降支柱部１３，１３が連結して設けられており、各昇降支柱部１３，１３の上方端部で天板部１２の下面の両端部領域に連結している。その連結には、例えば、補助フレーム１４，１４を使用することができる。昇降支柱部１３，１３は、天板部１２の下面から、それぞれ相互に平行に下方向に延びて設けられる。また、昇降支柱部１３は、それぞれ断面が略コ字型であり、その内側壁面１５に、ラック部１６を備えている。ラック部１６は、前記昇降ユニット１１を上下方向に移動させることができるネジ山を有している。
【００１５】
基台ユニット２１は、案内保持脚部２２，２２及び回転同期軸部２３を有する。また、前記基台ユニット２１は、図１及び図２に示すとおり、天板昇降型机１０の全体を安定させるために、基台部２４，２４及び補強部（例えば、貫部）２５を含むことが好ましい。また、基台部２４を設ける場合はその底面に、あるいは基台部２４を設けない場合は案内保持脚部２２の底面に、キャスターなどの移動手段（図示せず）を設けることもできる。
【００１６】
前記案内保持脚部２２，２２は、それぞれ前記基台部２４から鉛直方向の上方に延びて設けられており、上端に開口部２７を有し、その開口部２７に連続する空洞部を内部に有する。前記昇降ユニット１１の各昇降支柱部１３，１３は、それぞれ前記案内保持脚部２２，２２の各開口部２７，２７から空洞部の内部に挿入され、各昇降支柱部１３，１３の外側壁面が、各案内保持脚部２２，２２の内側壁面に沿ってスライドされて（すなわち、摺動可能に）案内され、上下方向に昇降することができる。
【００１７】
前記回転同期軸部２３は、両端をウォームホイールカバー部２６，２６によって案内保持脚部２２，２２の側面に回転可能に保持されている。更に、基台ユニット２１は、この回転同期軸部２３を回転させる回転手段として、手動ハンドル部３１と、ギアカバー部３３内に設けた歯車３４，３５を含んでいる。手動ハンドル部３１は、ハンドル軸軸受部３２によって、一方の案内保持脚部２２の側面に回転可能に固定されている。また、手動ハンドル部３１の回転軸部３６のもう一方の端部には、回転軸部３６を回転軸とする歯車３４が設けられており、更に、その歯車３４と噛合する歯車３５が、回転同期軸部２３を回転軸として回転同期軸部２３に設けられている。従って、手動ハンドル部３１を回転させると、その回転運動は、歯車３４，３５を介して回転同期軸部２３に伝達され、回転同期軸部２３を回転させることができる。なお、図２では、ギアカバー部３３を省略して、その内部に設けた歯車３４，３５のみを示している。
【００１８】
次に、図３及び図４に沿って、前記ラック部１６と噛合する歯車機構の構造を説明する。図３は、前記ラック部１６と噛合するウォームホイール部４１、及びそのウォームホイール部４１と噛合するウォーム部４２の構造を、回転同期軸部２３及び手動ハンドル部３１などと共に示す部分斜視図である。また、図４は、ウォームホイール部４１とラック部１６とが噛合することを説明するための一部分解斜視図であり、実際には相互に噛合しているウォームホイール部４１とラック部１６とを、説明の便宜のために離間させて図示している。
【００１９】
回転同期軸部２３の両端部のそれぞれにおいて、ウォームホイール部４１及びウォーム部４２は、相互に噛合した状態で、ウォームホイールカバー部２６の内側に回転可能に固定され、案内保持脚部２２の内側空洞部の内部に収納されているため、外部からは観察することはできない。図３は、ウォームホイール部４１及びウォーム部４２を覆っている案内保持脚部２２を取り払った状態の斜視図である。ウォーム部４２は、前記のとおり、回転同期軸部２３の両端部に設けられている。すなわち、回転同期軸部２３は、ウォームホイールカバー部２６の貫通孔軸受部４３を貫通して、その両端部が案内保持脚部２２の内側に突出している。その両端の突出端部に、それぞれウォーム部４２，４２が設けられている。
【００２０】
また、ウォームホイール部４１は、ウォームホイールカバー部２６の内側に設けた突出軸受部４４に回転可能に設けられており、しかも、前記ウォーム部４２と噛合している。更に、図４に示すとおり、ウォームホイール部４１は、昇降支柱部１３の内側壁面１５に設けられているラック部１６と噛合する。従って、図３に示すとおり、手動ハンドル部３１を回転させると、その回転運動は、手動ハンドル部３１の固定軸のもう一方の端部に設けた歯車３４と、その歯車３４に噛合し、しかも回転同期軸部２３に設けた歯車３５を介して回転同期軸部２３に伝達されて、回転同期軸部２３が回転する。回転同期軸部２３の両端に設けられたウォーム部４２は、回転同期軸部２３と共に回転し、ウォーム部４２が噛合するウォームホイール部４１を回転させ、ウォームホイール部４１が噛合するラック部１６を上下方向に運動させることができる。
【００２１】
続いて、本発明の天板昇降型机１０において、手動ハンドル部３１の回転運動がラック部１６の昇降運動に変換される機構を図５に沿って説明する。以下の説明において、左右関係は、便宜的に、図５を紙面の手前側から奥側の方向に向かって観察する場合の左右関係であり、回転同期軸部２３の回転方向は、図５の矢印Ｖに示すように、図５の右側から左側の方向に観察した場合の回転方向であり、ウォームホイール部４１（４１Ｌ，４１Ｒ）の回転方向は、図５を紙面の手前側から奥側の方向に向かって観察する場合の回転方向であるものとする。
【００２２】
手動ハンドル部３１を回転させて、回転同期軸部２３を反時計回り（図５の矢印Ａの方向）に回転させると、左側ウォーム部４２Ｌ及び右側ウォーム部４２Ｒは共に、反時計回りに回転する。左側ウォーム部４２Ｌ及び右側ウォーム部４２Ｒは、それぞれ、左側ウォームホイール部４１Ｌ及び右側ウォームホイール部４１Ｒと噛合しているので、左側ウォーム部４２Ｌ及び右側ウォーム部４２Ｒが、図５に示すように、左ネジ型のネジ山を有する場合は、例えば、左側ウォーム部４２Ｌのネジ山の或る初期地点Ｘ０に噛合・接触していた左側ウォームホイール部４１Ｌのネジ山部位は、左側ウォーム部４２Ｌの回転に伴って、移動地点Ｘ１に運ばれる。これは、左側ウォームホイール部４１Ｌの歯車が、図５の矢印Ｂの方向に搬送されたことを意味し、従って、左側ウォームホイール部４１Ｌは、反時計回りに回転する（図５の矢印Ｃの方向）。また、反時計回りに回転する左側ウォームホイール部４１Ｌと噛合する左側ラック部１６Ｌは、下方向（図５の矢印Ｄの方向）に移動することになる。
【００２３】
一方、例えば、右側ウォーム部４２Ｒのネジ山の或る初期地点Ｙ０に噛合・接触していた右側ウォームホイール部４１Ｒのネジ山部位は、右側ウォーム部４２Ｒの回転に伴って、移動地点Ｙ１に運ばれる。これは、右側ウォームホイール部４１Ｒの歯車が、図５の矢印Ｅの方向に搬送されたことを意味し、従って、右側ウォームホイール部４１Ｒは、時計回りに回転する（図５の矢印Ｆの方向）。また、時計回りに回転する右側ウォームホイール部４１Ｒと噛合する右側ラック部１６Ｒは、下方向（図５の矢印Ｇの方向）に移動することになる。
【００２４】
図５に示すように、左ネジ型の左側ウォームホイール部４１Ｌを左ネジ型の左側ウォーム部４２Ｌの上方に配置して噛合させ、一方、左ネジ型の右側ウォームホイール部４１Ｒを左ネジ型の右側ウォーム部４２Ｒの下方に配置して噛合させると、前者の左側ウォームホイール部４１Ｌは反時計回りに回転して左ネジ型の左側ラック部１６Ｌを降下させ、後者の右側ウォームホイール部４１Ｒは時計回りに回転して左ネジ型の右側ラック部１６Ｒを同期的に降下させる。
【００２５】
手動ハンドル部３１を時計回りに回転させて、回転同期軸部２３を時計回り（図５の矢印Ａの逆方向）に回転させると、左側ラック部１６Ｌを図５の矢印Ｄの逆方向に上昇させると共に、右側ラック部１６Ｒも図５の矢印Ｇの逆方向に同期的に上昇させることができる。更に、ウォーム部４２、ウォームホイール部４１、及びラック部１６のネジ山の全てを、左ネジ型から右ネジ型に置き換えることもできる。
【００２６】
なお、図５に示すように、右側ウォームホイール部４１Ｒを右側ウォーム部４２Ｒの下方に配置して噛合させる代わりに、右側ウォームホイール部４１Ｗを右側ウォーム部４２Ｒの上方に配置して噛合させると、この右側ウォームホイール部４１Ｗは、左側ウォームホイール部４１Ｌと同方向に回転する。例えば、左側ウォームホイール部４１Ｌが反時計回りの方向（図５の矢印Ｃの方向）に回転する場合には、右側ウォームホイール部４１Ｗも反時計回りの方向（図５の矢印Ｗの方向）に回転してしまうので、左側ラック部１６Ｌの移動方向と右側ラック部１６Ｒの移動方向とが逆方向になり、一方向に同期させることができない。
【００２７】
ところで、前記特許文献３に記載されている物品収納棚昇降装置においても、ラックとウォームホイールとウォームとの組合せによって、ラックを備えた１対の支柱を昇降させている。しかしながら、この物品収納棚昇降装置では、前記の通り、左ネジ型と右ネジ型との併用が必要である。図７は、前記特許文献３に記載されている物品収納棚昇降装置におけるラックとウォームホイールとウォームとの組合せ構造を説明する模式図である。すなわち、操作軸６３の左側端部には左ネジ型の左側ウォーム部６２Ｌが設けられ、右側端部には右ネジ型の右側ウォーム部６２Ｒが設けられている。従って、左ネジ型の左側ウォーム部６２Ｌと噛合する左側ウォームホイール部６１Ｌは左ネジ型であり、右ネジ型の右側ウォーム部６２Ｒと噛合する右側ウォームホイール部６１Ｒは右ネジ型である。同様に、左ネジ型の左側ウォームホイール部６１Ｌと噛合する左側ラック部６６Ｌは左ネジ型であり、右ネジ型の右側ウォームホイール部６１Ｒと噛合する右側ラック部６６Ｒは右ネジ型である。
【００２８】
操作軸６３を反時計回り（図７の矢印Ｐの方向；矢印Ｍの方向から観察）に回転させると、左ネジ型の左側ウォーム部６２Ｌ及び右ネジ型の右側ウォーム部６２Ｒは共に、反時計回りに回転する。左ネジ型の左側ウォーム部６２Ｌが反時計回りに回転すると、前記図５で説明したとおり、左側ウォーム部６２Ｌと噛合する歯車は図７の矢印Ｑの方向へ搬送されるので、左側ウォームホイール部６１Ｌは、反時計回りに回転する（図７の矢印Ｒの方向）。また、反時計回りに回転する左側ウォームホイール部６１Ｌと噛合する左側ラック部６６Ｌは、下方向（図７の矢印Ｓの方向）に移動することになる。
【００２９】
一方、右ネジ型の右側ウォーム部６２Ｒが反時計回りに回転すると、前記図５で説明した場合とは逆に、右側ウォーム部６２Ｒと噛合する歯車は図７の矢印Ｔの方向へ搬送されるので、右側ウォームホイール部６１Ｒは、時計回りに回転する（図７の矢印Ｕの方向）。また、時計回りに回転する右側ウォームホイール部６１Ｒと噛合する右側ラック部６６Ｒは、下方向（図７の矢印Ｖの方向）に移動することになる。
【００３０】
図７に示すように、左ネジ型の左側ウォームホイール部６１Ｌを左ネジ型の左側ウォーム部６２Ｌの上方に配置して噛合させると共に、右ネジ型の右側ウォームホイール部６１Ｒも右ネジ型の右側ウォーム部６２Ｒの上方に配置して噛合させることにより、前者の左側ウォームホイール部６１Ｌを反時計回りに回転させて左ネジ型の左側ラック部６６Ｌを降下させ、後者の右側ウォームホイール部６１Ｒを時計回りに回転させて右ネジ型の右側ラック部６６Ｒを降下させている。
【００３１】
以上のように、従来の昇降装置では、左ネジ型と右ネジ型との併用が必要であるのに対し、本発明では、左側ウォームホイール部４１Ｌを左側ウォーム部４２Ｌの上方に配置して噛合させ、一方、右側ウォームホイール部４１Ｒを右側ウォーム部４２Ｒの下方に配置して噛合させることにより、左ネジ型又は右ネジ型のいずれか一方のみを使用することが可能になる。もちろん、前記とは逆方向に、左側ウォームホイール部４１Ｌを左側ウォーム部４２Ｌの下方に配置し、右側ウォームホイール部４１Ｒを右側ウォーム部４２Ｒの上方に配置してもよい。すなわち、いずれか一方のウォームホイール部をウォーム部の上方に、もう一方のウォームホイール部をウォーム部の下方に配置する。本発明者の知る限り、左ネジ型又は右ネジ型のいずれか一方のみを使用して、２本以上の昇降支柱部を同調させて上下に昇降させる装置は従来全く知られていない。
【００３２】
本発明の天板昇降型机は、天板部の高さを調整する昇降操作が前記のように極めて簡単であるだけでなく、その高さ調整操作後は、単に手動ハンドル部を停止しておくだけで、天板部を不動状態に安定して維持することができる。また、手動ハンドル部にロック手段を設け、不動状態を良好に維持すると共に、静止状態において手動ハンドル部に誤って触れた場合にも、昇降動作が発生することを回避することができる。更に、着脱自在型手動ハンドル部や、把持部の折り畳みが可能な折り畳み式手動ハンドル部、あるいは、手動ハンドル部から回転同期軸部への回転運動を伝える歯車機構の噛合を解除する方式のスライド型手動ハンドル部を用いて、静止状態における誤接触を防止することができる。
【００３３】
本発明の天板昇降型机は、２本脚型の机だけでなく、３本以上の脚部を有する机にも適用することができる。４本脚型の机に適用した態様を図６に示す。
図６は、４つの昇降支柱部１３Ｌ，１３Ｒ，１３Ａ，１３Ｂと、４つの案内保持脚部（図示せず）と、そして３つの回転同期軸部２３，２３Ｌ，２３Ｒを有する態様の模式的な説明図である。第１の回転同期軸部２３には、左側端部に左側ウォーム部４２Ｌを備え、右側端部に右側ウォーム部４２Ｒを備えている。これらのウォーム部４２Ｌ，４２Ｒは、それぞれ、左側ウォームホイール部４１Ｌ及び右側ウォームホイール部４１Ｒと噛合しており、更に、左側ウォームホイール部４１Ｌ及び右側ウォームホイール部４１Ｒは、それぞれ、左側ラック部１６Ｌ（第１ラック部）及び右側ラック部１６Ｒ（第２ラック部）と噛合している。
【００３４】
なお、図５に沿って説明したとおり、左側ウォームホイール部４１Ｌ及び右側ウォームホイール部４１Ｒは、第１の回転同期軸部２３に関して、一方が上方に配置され、他方が下方に配置されているので、第１の回転同期軸部２３の回転方向に対して、左側ラック部１６Ｌ（第１ラック部）及び右側ラック部１６Ｒ（第２ラック部）を同じ方向へ同期して昇降される。
【００３５】
第１の回転同期軸部２３の左側端部に設けた左側ウォーム部４２Ｌと噛合する左側ウォームホイール部４１Ｌの軸は、一方の軸方向にそのまま延長され、第２の回転同期軸部２３Ｌとして作用し、その延長先の端部にはピニオン部４１Ａを備えている。同様に、第１の回転同期軸部２３の右側端部に設けた右側ウォーム部４２Ｒと噛合する右側ウォームホイール部４１Ｒの軸も、前記の第２の回転同期軸部２３Ｌと平行に同方向にそのまま延長され、第３の回転同期軸部２３Ｒとして作用し、その延長先の端部にはピニオン部４１Ｂを備えている。前記の第２の回転同期軸部２３Ｌの先端に設けたピニオン部４１Ａは、第３ラック部１６Ａと噛合し、前記の第３の回転同期軸部２３Ｒの先端に設けたピニオン部４１Ｂは、第４ラック部１６Ｂと噛合する。
【００３６】
ここで、手動ハンドル部３１を回転させ、歯車３４，３５を介して第１の回転同期軸部２３を、例えば、矢印Ｘの方向へ回転させると、左側ウォームホイール部４１Ｌ及びその軸（第２の回転同期軸部２３Ｌ）は、矢印Ｙの方向へ回転し、右側ウォームホイール部４１Ｒ及びその軸（第３の回転同期軸部２３Ｒ）は、矢印Ｚの方向へ回転する。左側ウォームホイール部４１Ｌと、第２の回転同期軸部２３Ｌの先端に設けたピニオン部４１Ａは、同軸上に設けられているので、同じ方向（矢印Ｙの方向）に回転する。同様に、右側ウォームホイール部４１Ｒと、第３の回転同期軸部２３Ｒの先端に設けたピニオン部４１Ｂも、同軸上に設けられているので、同じ方向（矢印Ｚの方向）に回転する。従って、左側ウォームホイール部４１Ｌ、右側ウォームホイール部４１Ｒ、ピニオン部４１Ａ、及びピニオン部４１Ｂとそれぞれ噛合する第１ラック部１６Ｌ、第２ラック部１６Ｒ、第３ラック部１６Ａ、及び第４ラック部１６Ｂはそれぞれ同じ方向に同期して昇降し、それに伴って、４つの昇降支柱部１３Ｌ，１３Ｒ，１３Ａ，１３Ｂも同期して昇降することになる。なお、図６においては、説明の便宜上、実際には相互に噛合している各ウォームホイール部と各ラック部とを離間させて図示している。
【００３７】
本発明の天板昇降型机を、３本脚部を有する机に適用する場合には、例えば、３つの回転同期軸部を、それらの一端でカサ歯車で相互に回転可能に連結し、その中央連結点から放射状に拡げた３つの回転同期軸部のもう一方の端部に、ウォーム部、ウォームホイール部、及びラック部の組合せを設けて、３つの昇降支柱部と３つの案内保持脚部とを有する机に適用することができる。
【００３８】
本発明の天板昇降型机を、図示した特定の態様に沿って説明したが、前記の説明は、本発明の範囲を限定するものではない。
例えば、前記天板部は、一段（１枚）の平板だけでなく、用途によっては、部分的に若しくは全体的に、二段以上の棚板状の平板を含むこともできる。
あるいは、回転同期軸部を回転させる回転手段としては、手動ハンドル部に代えて、例えば、電動モータなどを使用することもできる。
【００３９】
更に、案内保持脚部と昇降支柱部とのスライド可能に案内方法としては、図１及び図２に示すように、案内保持脚部を昇降支柱部の内部に挿入する態様のみでなく、逆に、昇降支柱部を案内保持脚部の内部に挿入する態様であることもできる。また、案内保持脚部を、図１及び図２に示すように、各昇降支柱部にそれぞれ設けるだけでなく、複数の昇降支柱部を案内する複数の部位（例えば、空洞部）を有する１つの案内保持脚部とすることもできる。
ラック部、ウォームホイール部、及びウォーム部が相互に噛合する領域は、図１〜図４に示すように、案内保持脚部の内部に収納するだけでなく、露出させる態様も可能であるが、回転の際の危険を回避したり、潤滑油に触れて汚れないようにするために、案内保持脚部の内部に収納するのが好ましい。
なお、本発明の天板昇降型机においては、外側から観察可能な部分（例えば、天板部や案内保持脚部の側面等）に、化粧紙や化粧板を用いて意匠性を高めることも可能である。
【産業上の利用可能性】
【００４０】
本発明の天板昇降型机は、任意の机に適用することができ、例えば、学習机、事務机、パソコンデスク、手術台、実験台、作業台、置物台、料理台、調理台、陳列台、ベッド台（例えば、介護用ベッド台）、アイロン台、テレビ台、脚立、イス、又は簡易エレベーター等に適用することができる。
【図面の簡単な説明】
【００４１】
【図１】本発明の一態様の天板昇降型机を示す斜視図である。
【図２】図１に示す天板昇降型机の分解斜視図である。
【図３】図１に示す天板昇降型机のラック部、ウォームホイール部、及びウォーム部の構造を、回転同期軸部及び手動ハンドル部などと共に示す部分斜視図である。
【図４】図１に示す天板昇降型机のウォームホイール部とラック部とが噛合することを説明する一部分解斜視図である。
【図５】図１に示す天板昇降型机において、手動ハンドル部の回転運動がラック部の昇降運動に変換される機構を示す模式的説明図である。
【図６】４本脚型の机に適用した態様を模式的に示す説明図である。
【図７】従来の物品収納棚昇降装置におけるラックとウォームホイールとウォームとの組合せ構造を模式的に示す説明図である。
【符号の説明】
【００４２】
１０・・・天板昇降型机；１１・・・昇降ユニット；１２・・・天板部；
１３，１３Ａ，１３Ｂ，１３Ｌ，１３Ｒ・・・昇降支柱部；
１４・・・補助フレーム；１５・・・内側壁面；
１６，１６Ａ，１６Ｂ，１６Ｌ，１６Ｒ・・・ラック部；
２１・・・基台ユニット；２２・・・案内保持脚部；
２３，２３Ｌ，２３Ｒ・・・回転同期軸部；２４・・・基台部；
２５・・・補強部；２６・・・ウォームホイールカバー部；２７・・・開口部；
３１・・・手動ハンドル部；３２・・・ハンドル軸軸受部；
３３・・・ギアカバー部；３４，３５・・・歯車；３６・・・回転軸部；
４１，４１Ｌ，４１Ｒ，４１Ｗ・・・ウォームホイール部；
４１Ａ，４１Ｂ・・・ピニオン部；４２，４２Ｌ，４２Ｒ・・・ウォーム部；
４３・・・貫通孔軸受部；４４・・・突出軸受部；
６１Ｌ，６１Ｒ・・・ウォームホイール部；６２Ｌ，６２Ｒ・・・ウォーム部；
６３・・・操作軸；６６Ｌ，６６Ｒ・・・ラック部。
【図１】
2006130048.tif 000003
【図２】
2006130048.tif 000004
【図３】
2006130048.tif 000005
【図４】
2006130048.tif 000006
【図５】
2006130048.tif 000007
【図６】
2006130048.tif 000008
【図７】
2006130048.tif 000009